(57)【要約】【課題】太陽熱を効率よく利用することができ、かつ経済的に得ることができる使用に便利で環境にやさしい太陽熱利用の温室ハウス及びこれに用いる加温水槽を提供する。【解決手段】温室ハウス１の骨組み５の外表面を透光性を有するシート６で覆った温室ハウス本体７を備えている。この温室ハウス本体７内の北側及び東西側に水を収納した水槽１３を配置し、この水槽１３によって日中に蓄熱した太陽熱を夜間に放熱して温室ハウス本体７内を加温する。【選択図】図２
0003160241.tif 000002
【実用新案登録請求の範囲】
【請求項１】
温室ハウスの骨組みの外表面を透光性を有するシートで覆う温室ハウス本体を有し、日中に蓄熱した太陽熱を夜間に放熱して温室ハウス本体内を加温するよう温室ハウス本体内の少なくとも北側に水等の液体を収納した水槽を配置したことを特徴とする太陽熱を利用した温室ハウス。
【請求項２】
温室ハウス本体の北側面に断熱材を設け、その温室ハウス本体の屋根に開閉可能に断熱性を有する保温カバーを設けた請求項１に記載の太陽熱を利用した温室ハウス。
【請求項３】
水槽は、水等の液体を収納した水槽本体とこの水槽本体を支持する枠体を備えた請求項１または２に記載の太陽熱利用の温室ハウス。
【請求項４】
水槽本体を黒色とした請求項３に記載の太陽熱を利用した温室ハウス。
【請求項５】
水槽本体の下部を埋設した請求項３または４に記載の太陽熱を利用した温室ハウス。
【請求項６】
水槽本体に栓体を設けた請求項３ないし５のいずれかに記載の太陽熱を利用した温室ハウス。
【請求項７】
温室ハウス内に配置される水槽であって、水等の液体を収納する水槽本体とこの水槽本体を支持する枠体を備えた加温水槽。
【請求項８】
水槽本体を黒色とした請求項７に記載の加温水槽。
【請求項９】
水槽本体に栓体を設けた請求項７または８に記載の加温水槽。
【考案の詳細な説明】
【技術分野】
【０００１】
本考案は、作物を栽培する農業用ハウスや花・盆栽などを生育する園芸用温室ハウス等の太陽熱を利用した温室ハウス及びこれに用いる加温水槽に関する。
【背景技術】
【０００２】
室内を適度の温度に加温して作物や花等の植物を栽培する方法として、一般にビニールハウス栽培が知られている。この方法は、ハウスの骨格を成すように骨組みをし、その外側をビニールシートで覆ってハウスを形成し、そのハウス内に太陽光を取り込んで室内を加温して栽培する方法である。
【０００３】
この栽培方法を用いた場合、冬場、特に寒冷地の冬場では、夜間に外気温が下がりこれによってハウス内の温度が低下するので、冬季作物等の育成に悪影響を及ぼすことがあった。そこで、その温度の低下を防ぐために、一般にボイラーや石油ストーブ等の暖房装置を設置してハウス内を加温しているのが実状である。
このように、寒冷地等では、ハウス内を加温するのに暖房装置を用いているので、化石燃料等の燃料費が嵩み、必然的に栽培費用が高くなり作物等のコスト高を招いている。また、化石燃料の使用により炭酸ガス等が排出されるので自然環境にも悪影響を及ぼしている。
【０００４】
更に、他の栽培方法として、暖房費を節約するためにハウスの北側側面にレンガや土、石を積み上げて壁を作り、日中にこの壁に太陽光を当てて蓄熱し、この蓄熱を夜間にハウス内に放出させて室内を保温するという方法が考えられている。
しかしながら、この方法は、上記のようにレンガ等を積み上げて壁を製作するものであるから、かなりの労力、製作日数及び費用を要し経済的に製作することができないものであり、また壁の北側側面が直接外気に触れる構造を有するものであるので、夜間にその外壁から放熱してしまい室内の保温効率を低下させるものであった。
【考案の概要】
【考案が解決しようとする課題】
【０００５】
本考案は、これらの問題点を解消するものであって、太陽熱を効率よく利用することができ、環境にやさしく、かつ経済的に得ることができる使用に便利な温室ハウス及びこれに用いる加温水槽を提供しようとするものである。
【課題を解決するための手段】
【０００６】
本考案は、太陽熱を利用した温室ハウスであって、室内の少なくとも北側に水槽を配置することにより、日中にこの水槽で太陽熱を蓄熱させ、夜間に水槽から放熱させて室内を加温するようにしたものである。
また、温室ハウスの北側面を断熱し、その温室ハウスの屋根に開閉可能に断熱性を有する保温カバーを設けて室内の保温効果を高めている。
【０００７】
水槽は、水等の液体を収納した水槽本体とこの水槽本体を支持する枠体を備え、枠体によって水槽本体を保護すると共に水槽の運搬、据付等の際の利便性が得られるようにしている。
更に、水槽を黒色として太陽熱の吸収を良くし、また、水槽の下部を埋設して土壌間との熱交換を図っている。
また、水槽にコック等の栓体を設け、水槽内の水を潅水・散水用として利用できるようにしている。
【考案の効果】
【０００８】
本考案は、上記のように温室ハウス内の水槽によって室内を加温しているので、従来のような化石燃料を用いた暖房装置を用いる必要がなく、また従来のようなレンガ等の構造物とは違って造り易く、かつ軽量であって冬季の夜間等において効率良く、しかも省エネをもって低コストで植物を良好に育成することができ、環境にもやさしい。また、水槽にコックが設けられているので植物への潅水、散水に便利であり、しかも水槽内の水が加温されているので植物の育成を一層促進させることができる。更に、水槽が枠体に支持されているので、水槽が保護、補強されると共に運搬、搬送の際や設置あるいは積層の際に作業がし易い。また、水槽が黒色になっているので熱の吸収が良く、かつ水槽の下部が埋設されているので水槽と土壌間で熱の授受を行うことができる。
【図面の簡単な説明】
【０００９】
【図１】本考案の実施例を示す温室ハウスの概略平面説明図である。
【図２】温室ハウスの拡大概略側面説明図である。
【図３】水槽の拡大斜面図である。
【図４】実験温室ハウスを用いて室内外温度を一定期間に亘って測定した結果を示すグラフである。
【考案を実施するための形態】
【００１０】
以下、本考案の実施形態を図１ないし図３を参照して説明する。
温室ハウス１は、支柱２や縦梁３、横梁４、補助梁３５等で組立てられる骨組み５を備え、その骨組みの表面がビニールシートやサニーコート（登録商標）等の透光性を有するシート６で覆われ温室ハウス本体７が構成されている。
温室ハウス１は、各側面がそれぞれ東西南北に面しており、その北側の側面を高く、これより屋根８が南側に向かって低くなるようにかまぼこ状の斜面に形成されている。これによって太陽光が温室ハウス１内に採り込み易くなっている。なお、温室ハウス１は、上記の形状以外に山形状、鋸刃形状その他の屋根の形状とすることができる。
【００１１】
温室ハウス１の北側の側面及びこれに連接する屋根部分には、テクミラー（登録商標）や養生シート、タイペック（銀フィルム）等の断熱、保温、保湿効果を有する断熱シート９が一層あるいは積層した状態で設けられ（図示のものは、外側にテクミラー（登録商標）、中間に養生シート、内側にタイペック（銀フィルム）が３層状態に積層されている）、北側の断熱効果を高めている。
【００１２】
また、温室ハウス１の屋根８には、冬季の夜間等の場合において室内温度が低下したときに用い得るようにテクミラー（登録商標）や帆布、保温シート等を一層あるいは積層して形成した保温カバー１０が被されている。この保温カバーは、巻芯１１に掛けたロープ２７を巻揚げ機１２によって引き上げ引き戻し保温カバー１０を巻芯１１に巻いたり巻き戻したりすることによって開閉される。巻揚げ機１２は、支持材２５に固定した軸受３３に軸３４を支持させ、この軸に設けたベルト車２８をベルト３０を介して減速機付きモータ２９で駆動させ、その軸３４に上記ロープ２７を巻き掛けたり巻き戻したりするようになっている。なお、ロープ２７の他端部は、屋根の一部（図示のものでは北側上端部）等に固定される。
【００１３】
上記温室ハウス１の北側及び東西側の内面には、水槽１３が複数段（図示のものは北側に３段に、東西側に２段に）積層して設置され、これらの水槽１３賀詞時部材２４で支持されている。なお、これらの水槽１３は、使用に応じて北側のみに設けることができる。
【００１４】
水槽１３は、図３に示すように、水槽本体１４と、この水槽本体を収納する枠体１５を有しているが、この水槽本体１４を積層し、その積層した周囲を適当な支持部材で支持することによって上記枠体１５を省略すようにしてもよい。枠体１５は、水槽本体１４が載置される台部１６を有し、これらの部材が防錆を施した鋼材やアルミニウム合金、ステンレスあるいはその他の丈夫な材料で形成されている。なお、水槽本体１４は、実施例ではプラスチック製のものであるが、金属製や木製等のものとしてもよい。
【００１５】
水槽１３には通常水が収容されており、日中に温室ハウス１内に注ぐ太陽光によって水槽１３内の水が温められ、夜間になって室温が低下すると、水槽１３の水に蓄積された熱が放熱し室内を加温する。
水槽１３の表面を黒色に塗装したり、水槽自体を黒色の材料で形成したりすると、熱の吸収が良くなり、水の蓄熱効果を上げることができる。また、その際に、塗料や水槽の材料に黒炭（カーボン）を添加しておくと、遠赤外線効果が得られ、更に蓄熱効果を上げることができる。
【００１６】
水槽１３は、その下部が埋設されており、これによって日中に土壌１７に蓄熱された熱が水槽に伝達され、夜間にこの水槽の熱が土壌に伝達するので植物の成長を更に促すことができる。実施例では、水槽１３が約３０ｃｍ埋設されているが、必要に応じてその他の寸法のものとすることできる。
【００１７】
水槽１３には、コックやバルブ、蛇口等の栓体１８が設けられており、この栓体の排出口１９より取り出した水で植物へ潅水、散水を行うことができる。その際に水槽水に肥料、植物成長調整剤等を含ませておくと、更に植物の成長を促すことができる。
なお、潅水や散水をする際に、栓体１８のノズル部にホースを接続したり、水槽１３の上面に設けたキャップ２０を外しその給水口２１にポンプ等を挿入したりして水を取り出すこともできる。
【００１８】
実施例では、各水槽１３どうしが連通していないが、これらの水槽どうしをホースやパイプ等で連結することによって水を循環させたり、水を一旦屋根に導いて太陽熱で保温したりすることができる。なお、水槽内の水として、水道や井戸水、河川水等が用いることができる。
【００１９】
上記温室ハウス１の試験室を用いて室内の温度を計測したところ、図４（Ａ：温室ハウス室内の温度、Ｂ：外気温度）に示すように夜間において外気温度より約１０℃ほど室温を高く保つことができ、また保温カバー１０を用いない場合でも約６℃ほど室温を高く保つことができた。
【００２０】
実施例では、温室ハウス１の東西側面に縦桟３６、横桟３７が設けられているが、この縦横桟には適宜壁材を取り付けることができる。なお、その東西側面には換気ファン３１や出入口３２が設けられている。
【００２１】
上記温室ハウス１を構成している支柱２や固定ベース２２、縦梁３、横梁４、補助梁３５、パイプクランプ２３、縦桟３６、横桟３７等の部材及び水槽１３の支持部材２４、巻揚げ機１２の支持材２５、支持台２６等には、建築工事現場で使用される足場用資材を用いたり、また水槽１３として既存の液体輸送用コンテナを用いたりすることができ、これによって温室ハウス１を一層簡易かつ低コストで製作することができる。
【符号の説明】
【００２２】
１温室ハウス    ５  骨組み    ６  透光性を有するシート    ８屋根    ９  断熱シート    １０  保温カバー    １２  巻揚げ機    １３  水槽    １５  枠体    １９  栓体
【図１】
0003160241.tif 000003
【図２】
0003160241.tif 000004
【図３】
0003160241.tif 000005
【図４】
0003160241.tif 000006